(57)【要約】【課題】ユーザの意図しない課金が発生するという問題を解決することが可能な携帯端末装置を提供する。【解決手段】記憶部２は、アクセスポイントとの接続に使用する設定情報であるプロファイルを複数記憶する。キー入力部３は、「自動」か否かを示す切替設定情報と、アクセスポイントの切り替えに使用するプロファイルを示す指示情報とを受け付ける。画面制御部４Ａは、アクセスポイントの切り替え時に、そのアクセスポイントの切り替えを自動で行うか否かの判断を要求する判断要求メッセージを表示する。無線ＬＡＮ処理部４Ｂは、キー入力部３が受け付けた切替設定情報が「自動」を示す場合、記憶部２に記憶されたプロファイルのいずれかを使用して、アクセスポイントの切り替えを行い、キー入力部３が受け付けた切替設定情報が「手動」を示す場合、キー入力部３が受け付けた指示情報にて示されるプロファイルを使用して、アクセスポイントの切り替えを行う。【選択図】図１
2011091612.tif 000002
【特許請求の範囲】
【請求項１】
無線通信機能を用いてアクセスポイントと接続可能な携帯端末装置であって、
表示部と、
アクセスポイントとの接続に使用するプロファイルを複数記憶する記憶部と、
アクセスポイントの切り替え時に、そのアクセスポイントの切り替えを自動で行うか否かの判断を要求するメッセージを前記表示部に表示する画面制御部と、
アクセスポイントの切り替えを自動で行うか否かを示す切替設定情報と、アクセスポイントの切り替えに使用するプロファイルを示す指示情報と、を受け付ける入力部と、
前記入力部が受け付けた切替設定情報が自動で行うことを示す場合、前記記憶部に記憶されたプロファイルのいずれかを使用してアクセスポイントの切り替えを行い、当該切替設定情報が手動で行うことを示す場合、前記記憶部に記憶されたプロファイルのうち、前記入力部が受け付けた指示情報にて示されるプロファイルを使用して、アクセスポイントの切り替えを行う通信制御部と、を有する携帯端末装置。
【請求項２】
請求項１に記載の携帯端末装置において、
前記プロファイルの少なくとも一部は、優先順位を有し、
前記通信制御部は、前記切替設定情報が自動で行うことを示す場合、前記プロファイルの中の前記優先順位を有するプロファイルを、当該優先順位に従って順番に使用して、アクセスポイントとの接続の可否を判断していき、最初に接続可能と判断したときのプロファイルを使用して、アクセスポイントの切り替えを行う、携帯端末装置。
【請求項３】
請求項２に記載の携帯端末装置において、
前記プロファイルの全てには、通し番号が付けられ、
前記入力部は、前記優先順位を有効にするか否かを示す有効設定情報を受け付け、
前記通信制御部は、前記切替設定情報が自動で行うことを示す場合、前記入力部が受け付けた有効設定情報が前記優先順位の有効を示すと、前記優先順位を有するプロファイルを当該優先順位に従って順番に使用し、当該有効設定情報が前記優先順位の無効を示すと、前記プロファイルを前記通し番号に従って順番に使用して、アクセスポイントとの接続の可否を判断していき、最初に接続可能と判断したときのプロファイルを使用して、アクセスポイントの切り替えを行う、携帯端末装置。
【請求項４】
アクセスポイントとの接続に使用するプロファイルを複数記憶する記憶部を有する携帯端末装置によるアクセスポイント切替方法であって、
アクセスポイントの切り替え時に、そのアクセスポイントの切り替えを自動で行うか否かの判断を要求するメッセージを表示する表示ステップと、
アクセスポイントの切り替えを自動で行うか否かを示す切替設定情報を受け付ける受付ステップと、
前記受け付けられた切替設定情報が自動で行うことを示す場合、前記記憶部に記憶されたプロファイルのいずれかを使用してアクセスポイントの切り替えを行う自動切替ステップと、
前記受け付けられた切替設定情報が手動で行うことを示す場合、アクセスポイントの切り替えに使用するプロファイルを示す指示情報を受け付ける入力ステップと、
前記記憶部に記憶されたプロファイルのうち、前記受け付けられた指示情報にて示されるプロファイルを使用して、アクセスポイントの切り替えを行う手動切替ステップと、を有するアクセスポイント切替方法。
【請求項５】
請求項４に記載のアクセスポイント切替方法において、
前記プロファイルの少なくとも一部は、優先順位を有し、
前記自動切替ステップでは、前記プロファイルの中の前記優先順位を有するプロファイルを、当該優先順位に従って順番に使用して、アクセスポイントとの接続の可否を判断していき、最初に接続可能と判断したときのプロファイルを使用して、アクセスポイントの切り替えを行う、アクセスポイント切替方法。
【請求項６】
請求項５に記載のアクセスポイント切替方法において、
前記プロファイルの全てには、通し番号が付けられ、
前記自動切替ステップでは、前記優先順位を有効にするか否かを示す有効設定情報を受け付け、当該受け付けた有効設定情報が前記優先順位の有効を示すと、前記優先順位を有するプロファイルを当該優先順位に従って順番に使用し、当該有効設定情報が前記優先順位の無効を示すと、前記プロファイルを前記通し番号に従って順番に使用して、アクセスポイントとの接続の可否を判断していき、最初に接続可能と判断したときのプロファイルを使用して、アクセスポイントの切り替えを行う、アクセスポイント切替方法。
【発明の詳細な説明】
【技術分野】
【０００１】
本発明は、無線通信機能を有する携帯端末装置およびアクセスポイント切替方法に関し、特には、無線ＬＡＮ機能を有する携帯端末装置およびアクセスポイント切替方法に関する。
【背景技術】
【０００２】
ＰＣ（Personal Compute）などの端末装置では、無線ＬＡＮ機能を用いてネットワークへの接続サービスを利用することが可能になっている。無線ＬＡＮ機能では、携帯端末は、接続サービスに応じて定められたプロファイルを使用して、そのプロファイルに対応しているアクセスポイントに接続することで、ネットワークと接続することができる（特許文献１参照）。
【０００３】
なお、接続サービスには、無償で提供される無償サービスもあれば、有償で提供される有償サービスもある。有償サービスの課金方式には、接続サービスの使用量に応じて課金額が変化する従量制や、接続サービスの使用量に関わらず一定の課金がなされる定額制などがある。
【０００４】
従来、ユーザは、駅、空港、コーヒーショップおよびファーストフードなどの特定の場所で端末装置を使用して、無線ＬＡＮ機能を用いた接続サービスを利用していた。
【０００５】
しかしながら、近年では、無線ＬＡＮ機能を有する携帯端末装置の普及に伴い、ユーザは、移動しながら無線ＬＡＮ機能を用いた接続サービスを利用することができるようになっている。この場合、携帯端末装置は、ユーザの移動に合わせて接続先のアクセスポイントを切り替える必要がある。このアクセスポイントの切り替えは、携帯端末装置によって自動的に行われるため、ユーザは、シームレスに無線ＬＡＮ機能を用いたサービスを利用することができる。
【０００６】
アクセスポイントを自動的に切り替えることが可能な技術には、特許文献２に記載のアクセスポイント切り替え方式や、特許文献３に記載の無線ＬＡＮネットワークシステムがある。
【０００７】
特許文献２に記載のアクセスポイント切り替え方式では、無線ＬＡＮ端末が、通信品質が最も良くなるようにアクセスポイントを切り替えている。
【０００８】
また、特許文献３に記載の無線ＬＡＮネットワークシステムでは、無線ＬＡＮ端末装置は、複数のプロファイルを、優先順位を付けて記憶する。無線ＬＡＮ端末装置は、アクセスポイントを切り替える際、その記憶したプロファイルを優先順位の高い方から順に使用してアクセスポイントへの接続を試みていくことで、接続先となるアクセスポイントを見つける。
【先行技術文献】
【特許文献】
【０００９】
【特許文献１】特開２００４−３６３６８２号公報
【特許文献２】特開２０００−１０１５９６号公報
【特許文献３】特開２００４−７１２０号公報
【発明の概要】
【発明が解決しようとする課題】
【００１０】
アクセスポイントと接続するためには、そのアクセスポイントに対応しているプロファイルを使用する必要がある。このため、アクセスポイントを切り替える際には、アクセスポイントとの接続に使用するプロファイルを変更することがある。この場合、プロファイルに応じて接続サービスが定められているため、接続サービスも変更される。このため、接続サービスが無償サービスまたは定額制の有償サービスから従量制の有償サービスに変更され、課金が発生することがある。
【００１１】
特許文献２および特許文献３に記載の技術のように、アクセスポイントが自動的に切り替えられると、プロファイルも自動的に変更されることがある。このため、ユーザはプロファイルおよび接続サービスの変更に気づくことが困難である。
【００１２】
したがって、接続サービスが従量制の有償サービスに変更されると、ユーザはその接続サービスに変更に気付かず、ユーザの意図しない課金が発生するという問題があった。
【００１３】
本発明の目的は、上記の課題である、ユーザの意図しない課金が発生するという問題を解決することが可能な携帯端末装置およびアクセスポイント切替方法を提供することである。
【課題を解決するための手段】
【００１４】
本発明による携帯端末装置は、無線通信機能を用いてアクセスポイントと接続可能な携帯端末装置であって、表示部と、アクセスポイントとの接続に使用するプロファイルを複数記憶する記憶部と、アクセスポイントの切り替え時に、そのアクセスポイントの切り替えを自動で行うか否かの判断を要求するメッセージを前記表示部に表示する画面制御部と、アクセスポイントの切り替えを自動で行うか否かを示す切替設定情報と、アクセスポイントの切り替えに使用するプロファイルを示す指示情報と、を受け付ける入力部と、前記入力部が受け付けた切替設定情報が自動で行うことを示す場合、前記記憶部に記憶されたプロファイルのいずれかを使用してアクセスポイントの切り替えを行い、当該切替設定情報が手動で行うことを示す場合、前記記憶部に記憶されたプロファイルのうち、前記入力部が受け付けた指示情報にて示されるプロファイルを使用して、アクセスポイントの切り替えを行う通信制御部と、を有する。
【００１５】
また、本発明のアクセスポイント切替方法は、アクセスポイントとの接続に使用するプロファイルを複数記憶する記憶部を有する携帯端末装置によるアクセスポイント切替方法であって、アクセスポイントの切り替え時に、そのアクセスポイントの切り替えを自動で行うか否かの判断を要求するメッセージを表示する表示ステップと、アクセスポイントの切り替えを自動で行うか否かを示す切替設定情報を受け付ける受付ステップと、前記受け付けられた切替設定情報が自動で行うことを示す場合、前記記憶部に記憶されたプロファイルのいずれかを使用してアクセスポイントの切り替えを行う自動切替ステップと、前記受け付けられた切替設定情報が手動で行うことを示す場合、アクセスポイントの切り替えに使用するプロファイルを示す指示情報を受け付ける入力ステップと、前記記憶部に記憶されたプロファイルのうち、前記受け付けられた指示情報にて示されるプロファイルを使用して、アクセスポイントの切り替えを行う手動切替ステップと、を有する。
【発明の効果】
【００１６】
本発明によれば、ユーザの意図しない課金の発生を抑制することができる。
【図面の簡単な説明】
【００１７】
【図１】第一の実施形態の携帯端末装置の機能構成を示したブロック図である。
【図２】第一の実施形態の携帯端末装置の動作を説明するためのフローチャートである。
【図３】第二の実施形態の携帯端末装置の機能構成を示したブロック図である。
【図４】プロファイルの一例を示した図である。
【図５】プロファイル登録一覧の一例を示した図である。
【図６】第ニの実施形態の携帯端末装置の動作の一例を説明するためのフローチャートである。
【図７】判断要求メッセージの一例を示した図である。
【図８】第ニの実施形態の携帯端末装置の外観の一例を示した外観図である。
【発明を実施するための形態】
【００１８】
以下、本発明の実施形態について図面を参照して説明する。なお、以下の説明では、同じ機能を有する構成には同じ符号を付け、その説明を省略する場合がある。
【００１９】
図１は、本発明における第一の実施形態の携帯端末装置の機能構成を示したブロック図である。図１において、携帯端末装置は、表示部１と、記憶部２と、キー入力部３と、制御部４とを有する。
【００２０】
表示部１は、種々の情報を表示可能な表示装置である。
【００２１】
記憶部２は、携帯端末装置とアクセスポイントとの接続に使用する設定情報であるプロファイルを複数記憶する。
【００２２】
キー入力部３は、単に入力部と呼ばれることもある。キー入力部３は、切替設定情報と、指示情報とを受け付ける。
【００２３】
切替設定情報は、アクセスポイントの切り替えを自動で行うか否かを示す。以下、簡単のために、切替設定情報において、アクセスポイントの切り替えを自動で行うことを「自動」と表し、アクセスポイントの切り替えを手動で行うことを「手動」と表す。
【００２４】
指示情報は、アクセスポイントの切り替えを手動で行うときに入力される情報であり、アクセスポイントの切り替えに使用するプロファイルを示す。
【００２５】
制御部４は、画面制御部４Ａと、無線ＬＡＮ処理部４Ｂとを有する。
【００２６】
画面制御部４Ａは、アクセスポイントの切り替え時に、そのアクセスポイントの切り替えを自動で行うか否かの判断を要求する判断要求メッセージを表示部１に表示する。なお、判断要求メッセージは、単にメッセージと呼ばれることもある。
【００２７】
無線ＬＡＮ処理部４Ｂは、通信制御部と呼ばれることもある。無線ＬＡＮ処理部４Ｂは、無線ＬＡＮ機能を用いて、アクセスポイントとの接続や、アクセスポイントを介した通信を行う。
【００２８】
例えば、キー入力部３が受け付けた切替設定情報が「自動」を示す場合、無線ＬＡＮ処理部４Ｂは、記憶部２に記憶されたプロファイルのいずれかを使用して、アクセスポイントの切り替えを行う。
【００２９】
より具体的には、無線ＬＡＮ処理部４Ｂは、記憶部２に記憶されたプロファイルを順番に使用して、アクセスポイントとの接続の可否を判断し、最初に接続可能と判断したときのプロファイルを使用して、アクセスポイントの切替を行う。
【００３０】
また、キー入力部３が受け付けた切替設定情報が「手動」を示す場合、無線ＬＡＮ処理部４Ｂは、キー入力部３が受け付けた指示情報にて示されるプロファイルを使用して、アクセスポイントの切り替えを行う。
【００３１】
次に動作を説明する。
【００３２】
図２は、本実施形態の携帯端末装置の動作の一例を説明するためのフローチャートである。なお、無線ＬＡＮ処理部４Ｂは、あるアクセスポイントと既に接続されているものとする。
【００３３】
無線ＬＡＮ処理部４Ｂは、例えば、接続中のアクセスポイントからの信号の通信品質や電波強度などが一定値より低くなると、アクセスポイントの切替処理の開始を決定し、ステップＳ２０１を実行する。
【００３４】
ステップＳ２０１は、無線ＬＡＮ処理部４Ｂは、アクセスポイントの切替処理の開始を画面制御部４Ａに通知する。画面制御部４Ａは、その通知を受け付けると、判断要求メッセージを表示部１に表示する。
【００３５】
例えば、判断要求メッセージが記憶部２に予め記憶される。そして、画面制御部４Ａは、記憶部２から判断要求メッセージを取得し、その判断要求メッセージを表示部１に表示する。
【００３６】
また、無線ＬＡＮ処理部４Ｂは、切替処理の開始を通知すると、ステップＳ２０２を実行する。
【００３７】
なお、ユーザは、表示部１に表示された判断要求メッセージを確認すると、アクセスポイントの切り替えを自動で行うか否か判断する。その切り替えを自動で行う場合、ユーザは、「自動」を示す切替設定情報をキー入力部３に入力する。また、その切り替えを手動で行う場合、ユーザは、「手動」を示す切替設定情報をキー入力部３に入力し、その後、指示情報をキー入力部３に入力する。
【００３８】
ステップＳ２０２では、無線ＬＡＮ処理部４Ｂは、キー入力部３が切替設定情報を受け付けたか否かを確認する。無線ＬＡＮ処理部４Ｂは、キー入力部３が切替設定情報を受け付けると、ステップＳ２０３を実行し、キー入力部３が切替設定情報を受け付けていないと、ステップＳ２０２を実行する。
【００３９】
ステップＳ２０３では、無線ＬＡＮ処理部４Ｂは、切替設定情報が「自動」を示すか否かを確認する。無線ＬＡＮ処理部４Ｂは、切替設定情報が「自動」を示すと、ステップＳ２０４を実行し、切替設定情報が「手動」を示すと、ステップＳ２０５を実行する。
【００４０】
ステップＳ２０４では、無線ＬＡＮ処理部４Ｂは、記憶部２に記憶されたプロファイルのいずれかを使用して、そのプロファイルに対応するアクセスポイントと接続する。これにより、アクセスポイントの切替処理が終了する。
【００４１】
ステップＳ２０５は、無線ＬＡＮ処理部４Ｂは、キー入力部３が指示情報を受け付けた否かを確認する。無線ＬＡＮ処理部４Ｂは、キー入力部３が指示情報を受け付けると、ステップＳ２０６を実行し、キー入力部３が指示情報を受け付けていないと、ステップＳ２０５を実行する。
【００４２】
ステップＳ２０６では、無線ＬＡＮ処理部４Ｂは、指示情報が示すプロファイルを記憶部２から取得し、その取得したプロファイルを使用して、そのプロファイルに対応するアクセスポイントと接続する。これにより、アクセスポイントの切替処理が終了する。
【００４３】
なお、本実施形態では、無線通信機能を無線ＬＡＮ機能として説明したが、無線通信機能は、無線ＬＡＮ機能に限らず適宜変更可能である。例えば、アクセスポイントの切り替えは、無線ＬＡＮ方式におけるアクセスポイントと、３ＧＰＰ（Third Generation Partnership Project）通信方式におけるアクセスポイントと、の切り替えなどでもよい。
【００４４】
本実施形態によれば、記憶部２は、アクセスポイントとの接続に使用する設定情報であるプロファイルを複数記憶する。キー入力部３は、「自動」か否かを示す切替設定情報と、アクセスポイントの切り替えに使用するプロファイルを示す指示情報とを受け付ける。画面制御部４Ａは、アクセスポイントの切り替え時に、そのアクセスポイントの切り替えを自動で行うか否かの判断を要求する判断要求メッセージを表示する。無線ＬＡＮ処理部４Ｂは、キー入力部３が受け付けた切替設定情報が「自動」を示す場合、記憶部２に記憶されたプロファイルのいずれかを使用して、アクセスポイントの切り替えを行い、キー入力部３が受け付けた切替設定情報が「手動」を示す場合、キー入力部３が受け付けた指示情報にて示されるプロファイルを使用して、アクセスポイントの切り替えを行う。
【００４５】
この場合、アクセスポイントの切り替え時に、そのアクセスポイントの切り替えを自動で行うか否かの判断を要求する判断要求メッセージが表示される。また、切替設定情報が「自動」を示す場合、記憶部２に記憶されたプロファイルのいずれかが使用されて、アクセスポイントの切り替えが行われる。また、切替設定情報が「手動」を示す場合、受け付けられた指示情報にて示されるプロファイルが使用されて、アクセスポイントの切り替えが行われる。
【００４６】
したがって、ユーザは、課金されてもよい時にだけ、「自動」を示す切替設定情報を入力し、課金されたくないときには、無償サービスまたは定額制の有償サービスに応じたプロファイルを指定すれば、意図しない課金の発生を抑制することが可能になる。
【００４７】
次に第二の実施形態について説明する。
【００４８】
本実施形態では、切替設定情報が「自動」を示す場合、つまり、アクセスポイントの切り替えを自動で行う場合、予めプロファイルごとに定められた優先順位または通し番号に従ってプロファイルを順番に使用して、アクセスポイントとの接続の可否を判断する携帯端末装置について説明する。以下、通し番号は、特に断りのない限り、プロファイルが登録された順番を示す登録番号であるとする。
【００４９】
図３は、本実施形態の携帯端末装置の機能構成を示したブロック図である。図３において、携帯端末装置は、図１で示した構成に加えて、音声の入出力を行う通話部５をさらに有する。また、制御部４は、図１で示した構成に加えて、キー入力部３に入力されたキーを判別するキーコード認識部４Ｃと、通話部５にて入出力される音声に種々の信号処理を行う音声処理部４Ｄとをさらに有する。なお、図３では、携帯端末装置を携帯電話装置としている。
【００５０】
記憶部１に記憶されたプロファイルの全てには通し番号である登録番号が付けられている。また、各プロファイルに含まれる内部情報には、従来のプロファイルに含まれる基本情報と、本携帯端末装置のプロファイルにおいて追加された拡張情報とがある。拡張情報としては、例えば、アクセスポイント切替設定情報と、アクセスポイント切替優先設定情報と、優先順位とがある。
【００５１】
アクセスポイント切替設定情報は、切替設定情報が「自動」を示す場合に、当該プロファイルの使用を許可するか否かを示す。以下、アクセスポイント切替設定情報において、プロファイルの使用を許可することを「自動」と表し、プロファイルの使用を許可しないこと「手動」と表す。
【００５２】
アクセスポイント切替優先設定情報は、プロファイルに優先順位を付けるか否かを示す。優先順位は、アクセスポイント切替優先設定情報が優先順位を付けることを示すときに設定される。
【００５３】
切替設定情報が「自動」を示す場合に、プロファイルを優先順位に従って順番に使用する優先順位設定が設定されると、優先順位を有するプロファイルがその優先順位に従って順番に使用される。また、切替設定情報が「自動」を示す場合に、プロファイルを登録番号に従って順番に使用するプロファイル登録順設定が設定されると、プロファイルがその登録番号に従って順番に使用される。このため、アクセスポイント切替優先設定情報において、プロファイルに優先順位を付けることを「優先順位」と表し、プロファイルに優先順位を付けないことを「プロファイル登録順」または「登録順」と表す。
【００５４】
なお、以下では、記憶部２に記憶されたプロファイルの少なくとも１以上に、「優先順位」を示すアクセスポイント切替優先設定情報があるものとする。したがって、プロファイルの少なくとも一部は、優先順位を有することになる。
【００５５】
図４は、プロファイルの一例を示した図である。図４において、プロファイルは、プロファイルに含まれる内部情報を分類する分類番号４００と、プロファイルに含まれる内部情報４０１とを有する。また、内部情報４０１は、その内部情報４０１の名前であるパラメータ４０２と、その内部情報４０１の値である設定データ４０３とを有する。
【００５６】
分類番号４００は、内部情報４０１を「ＮＯ．１」から「ＮＯ．４」までの４つのグループに分類する。
【００５７】
分類番号４００「Ｎｏ．１」の内部情報４０１は、従来のプロファイルに含まれる基本情報であり、プロファイルの名称、ネットワークに接続するための認証ＩＤ、パスワードおよびセキュリティレベル設定などを含む。また、分類番号４００「ＮＯ．２」から「ＮＯ．４」までの内部情報４０１は、本携帯端末装置のプロファイルにおいて追加された拡張情報である。
【００５８】
分類番号４００「Ｎｏ．２」の内部情報４０１は、アクセスポイント切替設定情報である。この内部情報４０１の設定データ４０３は、アクセスポイントの切り替えを自動で行う場合に、プロファイルの使用を許可する「自動」と、プロファイルの使用を許可しない「手動」とのいずれかを示す。なお、プロファイルに対応するネットワークへの接続サービスが、無償サービスや定額制の有償サービスの場合、この設定データ４０３は、「自動」を示すことが求められる。また、接続サービスが従量制の有償サービスの場合、この設定データ４０３は、「手動」を示すことが求められる。
【００５９】
分類番号４００「Ｎｏ．３」の内部情報４０１は、アクセスポイント切替優先設定情報である。この内部情報４０１の設定データ４０３は、優先順位を付ける「優先順位」と、優先順位を付けない「プロファイル登録順」とのいずれかを示す。
【００６０】
分類番号４００「Ｎｏ．４」の内部情報４０１は、優先番号である。この内部情報４０１の設定データ４０３は、正の整数値を示し、番号が若いほど優先順位が高いことを示す。なお、分類番号４００「Ｎｏ．３」の内部情報４０１であるアクセスポイント切替優先設定情報が「登録順」を示す場合、この設定データ４０３は、空欄となる。
【００６１】
なお、図４で示したプロファイルは単なる一例である。プロファイルには、使用履歴や使用累積時間などのユーザの使用状況に応じて、アクセスポイントとの接続に使用するプロファイルを限定するための情報が追加されてもよい。
【００６２】
図５は、プロファイルを登録順に記載したプロファイル登録一覧の一例を示した図である。図５において、プロファイル登録一覧は、登録番号５００と、登録番号５００のプロファイル５０１とを有する。
【００６３】
登録番号は、プロファイルに付けられた通し番号であり、プロファイルが登録された順番を示す。
【００６４】
登録番号５００「Ｎｏ．１」のプロファイル５０１では、プロファイル名は「ＡＡＡ」であり、アクセスポイント切替設定は「手動」を示し、アクセスポイント切替優先設定は「登録順」を示し、優先番号は、空欄、つまり、優先順位が設定されていないことを示す。
【００６５】
同様に、登録番号５００「ＮＯ．２」のプロファイル５０１では、プロファイル名は「ＢＢＢ」であり、アクセスポイント切替設定は「自動」を示し、アクセスポイント切替優先設定は「優先順位」を示し、優先番号は「１」を示す。登録番号５００「ＮＯ．３」のプロファイル５０１では、プロファイル名は「ＣＣＣ」であり、アクセスポイント切替設定は「自動」を示し、アクセスポイント切替優先設定は「優先順位」を示し、優先番号は「２」を示す。
【００６６】
なお、本実施形態では、図５で示したように、プロファイルの少なくとも一部は、「優先順位」を示すプロファイル切替優先設定を有するものとする。したがって、プロファイルの少なくとも一部は、優先順位を有することとなる。
【００６７】
また、通し番号として登録番号を用いたが、通し番号は、登録番号に限らず適宜変更可能である。例えば、通し番号は、ユーザからの指示やプロファイルの使用状況に応じて変更されるような番号でもよい。
【００６８】
図３に戻る。切替設定情報が「自動」を示す場合、キー入力部３は、優先順位を有効にするか否かを示す有効設定情報を受け付ける。以下、有効設定情報において、優先順位を有効にすることを「優先順位設定」と表し、優先順位を無効にすることを「プロファイル登録順設定」と表す。
【００６９】
切替設定情報が「自動」を示す場合、無線ＬＡＮ処理部４Ｂは、以下の処理を行う。
【００７０】
例えば、有効設定情報が「優先順位」を示すと、無線ＬＡＮ処理部４Ｂは、記憶部２に記憶されたプロファイルの中の、アクセスポイント切替設定情報が「自動」を示し、かつ、アクセスポイント切替優先設定情報が「優先順位」を示すプロファイルのいずれかを使用して、アクセスポイントの切替を行う。
【００７１】
より具体的には、無線ＬＡＮ処理部４Ｂは、記憶部２に記憶されたプロファイルの中のアクセスポイント切替設定情報が「自動」を示すプロファイルを選択する。無線ＬＡＮ処理部４Ｂは、その選択したプロファイルの中の優先順位を有するプロファイルを、その優先順位に従って順番に使用してアクセスポイントとの接続の可否を判断する。そして、無線ＬＡＮ処理部４Ｂは、最初に接続可能と判断したプロファイルを使用してアクセスポイントの切り替えを行う。
【００７２】
また、アクセスポイント切替優先判別情報が「登録順」を示すと、無線ＬＡＮ処理部４Ｂは、記憶部２に記憶されたプロファイルの中で、アクセスポイント切替設定情報が「自動」を示すプロファイルのいずれかを使用して、アクセスポイントの切替を行う。
【００７３】
より具体的には、無線ＬＡＮ処理部４Ｂは、記憶部２に記憶されたプロファイルの中のアクセスポイント切替設定情報が「自動」を示すプロファイルを登録番号に従って順番に使用して、アクセスポイントと接続可能か否かを判断する。そして、無線ＬＡＮ処理部４Ｂは、最初に接続可能と判断したプロファイルを使用してアクセスポイントの切り替えを行う。
【００７４】
次に動作を説明する。
【００７５】
図６は、本実施形態の携帯端末装置の動作の一例を説明するためのフローチャートである。なお、無線ＬＡＮ処理部４Ｂは、あるアクセスポイントと既に接続されているものとする。また、無線ＬＡＮ処理部４Ｂは、アクセスポイントの切替処理の開始を決定すると、ステップＳ６０１を実行する。
【００７６】
ステップＳ６０１では、無線ＬＡＮ処理部４Ｂは、アクセスポイントの切替処理の開始を画面制御部４Ａに通知する。画面制御部４Ａは、その通知を受け付けると、判断要求メッセージを生成し、その判断要求メッセージを表示部１に表示する。
【００７７】
図７は、判断要求メッセージの一例を示した図である。図７において、判断要求メッセージは、識別番号７００と、設定要求メッセージ７０１とを有する。
【００７８】
識別番号７００は、設定要求メッセージ７０１を識別する番号である。なお、図７では、設定要求メッセージ７０１は、二つある。
【００７９】
識別番号７００「Ｎｏ．１」の設定要求メッセージ７０１は、切替設定情報の入力を要求する優先順位設定メッセージであり、ユーザが切替設定情報を入力するための入力ボックス７０２Ａを含む。入力ボックス７０２Ａにおいて、「有効」が選択されると、「自動」を示す切替設定情報が入力され、「無効」が選択されると、「手動」を示す切替設定情報が入力される。
【００８０】
識別番号７００「Ｎｏ．２」の設定要求メッセージ７０１は、アクセスポイント切替優先設定情報の入力を要求するアクセスポイント切替優先設定メッセージであり、ユーザがアクセスポイント切替優先設定情報の入力するため入力ボックス７０２Ｂを含む。入力ボックス７０２Ｂにおいて、「優先順位」が選択されると、「優先順位」を示す有効設定情報が入力され、「プロファイル登録順」が選択されると、「プロファイル登録順」を示す有効設定情報が入力される。
【００８１】
なお、ユーザは、アクセスポイントの切り替えを自動で行う場合、入力ボックス７０２Ａの「有効」を選択するとともに、入力ボックス７０２Ｂの「優先順位」または「プロファイル登録順」を選択する。また、ユーザは、アクセスポイントの切替を手動で行う場合、入力ボックス７０２Ａの「無効」を選択する。
【００８２】
これにより、アクセスポイントの切り替えを自動で行う場合、「自動」を示す切替設定情報と、「優先順位」または「プロファイル登録順」を示す有効設定情報とが入力される。また、アクセスポイントの切り替えを手動で行う場合、「手動」を示す切替設定情報が入力される。
【００８３】
図６に戻る無線ＬＡＮ処理部４Ｂは、切替処理の開始を通知すると、ステップＳ６０２を実行する。
【００８４】
なお、ユーザは、表示部１に表示された判断要求メッセージを確認すると、アクセスポイントの切り替えを自動で行うか否か判断する。
【００８５】
その切り替えを自動で行う場合、ユーザは、入力ボックス７０２Ａ「自動」を選択する。その後、ユーザは、アクセスポイント切替優先設定情報を有効にするときには、入力ボックス７０２Ｂ「優先順位」を選択し、アクセスポイント切替優先設定情報を無効にするときには、入力ボックス７０２Ｂ「プロファイル登録順」を選択する。
【００８６】
一方、その切り替えを手動で行う場合、ユーザは、入力ボックス７０２Ａ「手動」を選択する。
【００８７】
図６に戻る。ステップ６０２では、無線ＬＡＮ処理部４Ｂは、キー入力部３が切替設定情報を受け付けたか否かを確認する。例えば、図７で示した要求メッセージが表示された場合、キー入力部３は、入力ボックス７０２Ａが選択されると、その選択された入力ボックス７０２Ａに応じて「自動」または「手動」を示す切替設定情報を、キーコード認識部４Ｃを介して無線ＬＡＮ処理部４Ｂに出力する。無線ＬＡＮ処理部４Ｂは、切替設定情報を受け付けると、キー入力部３が切替設定情報を受け付けたと判断する。
【００８８】
無線ＬＡＮ処理部４Ｂは、キー入力部３が切替設定情報を受け付けると、ステップＳ６０３を実行し、キー入力部３が切替設定情報を受け付けていないと、ステップＳ６０２を実行する。
【００８９】
ステップＳ６０３では、無線ＬＡＮ処理部４Ｂは、切替設定情報が「自動」を示すか否かを確認する。無線ＬＡＮ処理部４Ｂは、切替設定情報が「自動」を示すと、ステップＳ６０４を実行し、切替設定情報が「手動」を示すと、ステップＳ６０８を実行する。
【００９０】
ステップ６０４では、無線ＬＡＮ処理部４Ｂは、キー入力部３が有効設定情報を受け付けたか否かを確認する。例えば、図７で示した要求メッセージが表示された場合、キー入力部３は、入力ボックス７０２Ｂが選択されると、その選択された入力ボックス７０２Ａに応じて「優先順位」または「プロファイル登録順」を示す有効設定情報を、キーコード認識部４Ｃを介して無線ＬＡＮ処理部４Ｂに出力する。無線ＬＡＮ処理部４Ｂは、有効設定情報を受け付けると、キー入力部３が有効設定情報を受け付けたと判断する。
【００９１】
無線ＬＡＮ処理部４Ｂは、キー入力部３がアクセスポイント切替優先判別情報を受け付けると、ステップＳ６０５を実行し、キー入力部３がアクセスポイント切替優先判別情報を受け付けていないと、ステップＳ６０４を実行する。
【００９２】
ステップＳ６０５では、無線ＬＡＮ処理部４Ｂは、有効設定情報が「優先順位」を示すか否かを確認する。無線ＬＡＮ処理部４Ｂは、有効設定情報が「優先順位」示すと、ステップＳ６０６を実行し、有効設定情報が「登録順」を示すと、ステップＳ６０７を実行する。
【００９３】
ステップＳ６０６では、無線ＬＡＮ処理部４Ｂは、優先順位が高い順にプロファイルを記憶部２から取得する。無線ＬＡＮ処理部４Ｂは、プロファイルを取得するたびに、その取得したプロファイルを使用して、アクセスポイントとの接続の可否を判断する。
【００９４】
無線ＬＡＮ処理部４Ｂは、アクセスポイントとの接続が可能であると、そのときのプロファイルを使用してそのアクセスポイントと接続し、処理を終了する。なお、無線ＬＡＮ処理部４Ｂは、アクセスポイントと接続可能でないと、次のプロファイルを記憶部２から取得する。
【００９５】
ステップＳ６０７では、無線ＬＡＮ処理部４Ｂは、登録番号が若い順にプロファイルを記憶部２から取得する。無線ＬＡＮ処理部４Ｂは、プロファイルを取得するたびに、その取得したプロファイルを使用して、アクセスポイントと接続可能か否かを判断する。
【００９６】
無線ＬＡＮ処理部４Ｂは、アクセスポイントと接続が可能であると、そのときのプロファイルを使用してそのアクセスポイントと接続し、処理を終了する。なお、無線ＬＡＮ処理部４Ｂは、アクセスポイントとの接続が可能でないと、次のプロファイルを記憶部２から取得する。
【００９７】
ステップＳ６０８は、無線ＬＡＮ処理部４Ｂは、キー入力部３が指示情報を受け付けた否かを確認する。無線ＬＡＮ処理部４Ｂは、キー入力部３が指示情報を受け付けると、ステップＳ６０９を実行し、キー入力部３が指示情報を受け付けていないと、ステップＳ６０８を実行する。
【００９８】
ステップＳ６０９では、無線ＬＡＮ処理部４Ｂは、指示情報が示すプロファイルを記憶部２から取得し、その取得したプロファイルを使用して、そのプロファイルに対応するアクセスポイントと接続する。これにより、アクセスポイントの切替処理が終了する。
【００９９】
次に、携帯端末装置の外観について説明する。
【０１００】
図８は、本実施形態の携帯端末の外観の一例を示した外観図である。図８では、本実施形態の携帯端末装置である携帯端末装置１００における、表示部１に対応するＬＣＤ画面３１と、キー入力部３に対応するキーボード１０２と、通話部５に対応するマイク３３およびスピーカ３４とが示されている。
【０１０１】
本実施形態によれば、プロファイルの少なくとも一部は優先順位を有する。無線ＬＡＮ処理部４Ｂは、切替設定情報が「自動」を示す場合、プロファイルの中の優先順位を有するプロファイルを、その優先順位に従って順番に使用して、アクセスポイントとの接続の可否を判断していき、最初に接続可能と判断したときのプロファイルを使用してアクセスポイントの切り替えを行う。
【０１０２】
この場合、プロファイルが優先順位に従って順番に使用され、アクセスポイントとの可否が判断される。そして、最初に接続可能と判断されたときのプロファイルが使用されて、アクセスポイントの切り替えが行われる。したがって、優先順位が適宜設定されれば、ユーザが使用を希望するプロファイルや過去に使用実績のあるプロファイルなどの所望のプロファイルを優先的に接続することが可能になる。よって、所望のプロファイルを効率良く使用することが可能になる。
【０１０３】
また、優先順位を有していないプロファイルは使用されないので、所望のプロファイルと異なるプロファイルが自動的に使用されることを抑制することが可能になる。
【０１０４】
また、本実施形態では、プロファイルの全てには通し番号が付けられる。キー入力部３は、優先順位を有効にするか否かを示す有効設定情報を受け付ける。無線ＬＡＮ処理部４Ｂは、キー入力部３が受け付けた有効設定情報が優先順位の有効を示すと、優先順位を有するプロファイルを優先順位に従って順番に使用する。また、無線ＬＡＮ処理部４Ｂは、プロファイルを通し番号に従って順番に使用して、アクセスポイントとの接続の可否を判断していき、最初に接続可能と判断したときのプロファイルを使用して、アクセスポイントの切り替えを行う。
【０１０５】
この場合、所望のプロファイルの以外のプロファイルを使用してもよい場合には、優先順位を有していないプロファイルも使用することが可能になるので、より確実にアクセスポイントの切り替えを行うことが可能になる。
【０１０６】
また、本実施形態では、プロファイルの中に優先順位やアクセスポイント切替設定情報などが含まれる。このため、携帯端末装置が機種変更されたり、携帯端末装置のＵＳＩＭ（Universal Subscriber Identity Module）カードが入れ替えられたりして、ユーザの使用する携帯端末装置が変更された場合でも、プロファイルを赤外線通信などを用いて転送するだけで、変更後の携帯端末装置に設定することが可能になる。したがって、ユーザが変更後の携帯端末装置にプロファイルを手動で入力しなくてもよくなるため、効率良くプロファイルを設定することが可能になる。
【０１０７】
以上説明した各実施形態において、図示した構成は単なる一例であって、本発明はその構成に限定されるものではない。
【０１０８】
例えば、無線ＬＡＮ処理部４Ｂは、各プロファイルの使用回数や使用累積時間などの使用状況を測定し、プロファイルの切り替え時に、使用状況が予め定められた閾値以上のプロファイルを使用してアクセスポイントとの接続の可否を判断する。そのアクセスポイントとの接続が可能な場合、無線ＬＡＮ処理部４Ｂは、そのときのプロファイルを使用してアクセスポイントの切り替えを行う。また、そのアクセスポイントとの接続が可能でない場合、画面制御部４Ａは、判断要求メッセージを表示部１に表示してもよい。
【０１０９】
この場合、使用実績のあるプロファイルを使用したアクセスポイントの切替では、判断要求メッセージが表示されないので、アクセスポイントの切り替えに係る切替時間を短縮することが可能になる。
【産業上の利用可能性】
【０１１０】
本発明は、持ち歩きながら、予め登録されたプロファイルの中から適切なプロファイルを使用してアクセスポイントを切り替えることで、安心して使用できる携帯電話装置、ＰＨＳ、ＰＤＡ等の無線通信機能を有する携帯端末に利用することができる。
【符号の説明】
【０１１１】
１        表示部
２        記憶部
３        キー入力部
４        制御部
４Ａ      画面制御部
４Ｂ      無線ＬＡＮ処理部
４Ｃ      キーコード認識部
４Ｄ      音声処理部
５        通話部
【図１】
2011091612.tif 000003
【図２】
2011091612.tif 000004
【図３】
2011091612.tif 000005
【図４】
2011091612.tif 000006
【図５】
2011091612.tif 000007
【図６】
2011091612.tif 000008
【図７】
2011091612.tif 000009
【図８】
2011091612.tif 000010